(57)【要約】【課題】  １つの画像データファイルのみで元画像と編集後の画像を電子撮像装置で表示することができる電子撮像装置を提供する。【解決手段】  元画像に対して編集を行った結果をＣＯＭセグメント領域に格納する。【選択図】  図３
2005184642.tif 000002
【特許請求の範囲】
【請求項１】
カメラレンズ群から取り込んだ被写体の光画像を、デジタル画像データとしてリアルタイムに入力する入力手段と、
前記デジタル画像データに文字及び図形からなる情報を付加する手段と、
前記付加する情報の挿入範囲を指定する手段と、
前記指定した挿入範囲に付加した情報を表示部に表示する手段と、
上記付加した情報を格納する手段と、
を有することを特徴とする画像処理装置。
【請求項２】
前記付加した情報を格納する手段は前記デジタル画像ファイルのヘッダ部に格納することを特徴とする請求項１に記載の画像処理装置。
【請求項３】
前記ヘッダ部に格納する情報は、少なくとも、フォント情報、文字サイズ、データ挿入座標、付加情報、印刷許可フラグ、書込み禁止フラグを含むことを特徴とする、前記請求項１または２に記載の画像処理装置。
【請求項４】
前記書込み禁止フラグによって、前記ヘッダ部に書込みを許可するモードと書込みを禁止するモードを有することを特徴とする請求項１乃至３のいずれかに記載の画像処理装置。
【請求項５】
画像データを供給されて印刷する記録装置において、
前記画像データを受信し、印刷シーケンスを制御し、前記画像データを一時的に格納する画像メモリを有する印刷コントローラと、
前記印刷コントローラから供給される画像データに対応する駆動信号に従って、所定の印字媒体に印刷する印刷エンジンと、を有し、
前記印刷コントローラは、ＣＯＭセグメントデコード処理を行う制御部を有することを特徴とする記録装置。
【請求項６】
前記印刷コントローラは、モード判定処理を行う制御部を有することを特徴とする請求項５に記載の記録装置。
【請求項７】
前記印刷コントローラは、デコードしたＣＯＭセグメントデータの印刷許可フラグをもとに前記印刷モードの判定を行うことを特徴とする請求項５または６に記載の記録装置。
【請求項８】
前記印刷コントローラは通常印刷モードと編集印刷モードの２つの印刷モードを有することを特徴とする請求項５乃至７のいずれかに記載の記録装置。
【請求項９】
前記印刷コントローラは、デコードしたＣＯＭセグメントデータのＣＯＭセグメント書込み禁止フラグをもとに前記制御部の前記印刷モードの判定を行うことを特徴とする請求項５乃至８のいずれかに記載の記録装置。
【請求項１０】
前記編集印刷モードにおいて、印刷コントローラは、デコードしたＣＯＭセグメントデータの情報をもとに印字可能かどうかを判断する判断処理部を有し、印刷が不可であると判断された場合は前記通常印刷モードに移行するシーケンス持つことを特徴とする請求項５乃至９のいずれかに記載の記録装置。
【請求項１１】
前記請求項１乃至４のいずれかに記載の画像処理装置と接続し、前記画像処理装置から受信したデータに基づいて記録を行うことを特徴とする記録装置。
【請求項１２】
前記記録装置は、前記デジタル画像データと、前記画像処理装置において付加された情報とからなる前記データを受信し、記録を行うときに前記付加された情報を前記デジタル画像データに展開して記録を行うことを特徴とする請求項１１に記載の記録装置。
【発明の詳細な説明】
【技術分野】
【０００１】
本発明は、撮影した画像をデジタル信号で記憶するデジタルカメラ等の電子撮像装置、該電子撮像装置における画像処理方法、及び画像処理部を有する記録装置に関し、特にＰＣを介すことなく画像データの受信が出来る記録装置に関する。
【背景技術】
【０００２】
デジタルカメラやデジタルビデオカメラなどの電子撮像装置（電子スチルカメラとも称する）で撮影した画像データを記録装置から印刷しようとした場合、従来の方法では、図１の破線矢印に示すように、電子撮像装置１０１とパーソナルコンピュータ１０２、記録装置１０３が必要であった。まず、電子撮像装置１０１と有線または無線で接続したパーソナルコンピュータ１０２に画像データを一旦保存した後、ユーザがパーソナルコンピュータ１０２の画面上から印刷したい画像データを選択し、パーソナルコンピュータと有線または無線で接続される記録装置１０３に画像データに基づいた記録データを送信し、記録装置１０３は受信した記録データに基づいて記録を行っていた。この構成としたときの利点は、パーソナルコンピュータ１０２がサーバの役目をするので、大量の画像データを保持することができ、パーソナルコンピュータ１０２上で動作する画像編集ソフト等を用いて、画像データの加工、印刷指示、再生／表示、等が容易に出来る為、例えば電子アルバムを作成する時などは非常に便利である。
【０００３】
一方、図１の実線矢印に示すような、パーソナルコンピュータ１０２を介さずに、電子撮像装置１０１で撮影した画像データを記録装置１０３へ送信し、記録装置１０３は受信した画像データに基づいて画像を記録する手法が近年広まりつつある。この構成としたときの利点は、ユーザはパーソナルコンピュータ１０２を用意しなくても、電子撮像装置１０１で撮影した画像データを記録装置１０３から印刷することができるということである。また、近年の画像編集ソフトは機能、操作性において煩雑化しているため初心者には扱いにくいことが予想されるが、この構成では電子撮像装置１０１から直接、記録装置１０３に画像データを送信するため、パーソナルコンピュータ１０２を介す構成に比べると煩雑な処理を必要としない。
【０００４】
図２に従来の電子撮像装置１０１の概略構成を表すブロック図を示す。
【０００５】
電源投入後、撮影動作モードにスイッチが切り替えられると、撮像部２０１と画像処理部２０２を含むカメラモジュールを初期化すると共に動作可能な状態にし、撮影時には被写体を確認するための電子ビューファインダとなり、また各種設定時には操作状況が表示される表示部２０９の動作が開始される。
【０００６】
次に、撮影時に表示部２０９に被写体が表示されるまでの流れを説明する。
【０００７】
撮像部２０１から取り込んだ被写体の光情報を、全画素読み出し方式のＣＣＤによって電気信号に変換する。変換されたアナログ信号はノイズ除去処理、およびゲイン処理を経てデジタル信号へＡ／Ｄ変換された後、画像処理部２０２へ送信される。画像処理部２０２ではオートホワイトバランス、ＡＥ、ストロボ撮影時の補正などの処理あるいはＹ・Ｃｂ・Ｃｒ信号フォーマットへの変換処理を行う。Ｙ・Ｃｂ・Ｃｒ信号変換された信号はＣＰＵ２０３により表示用の処理速度を上げるために表示解像度を変更し、表示画像データを格納するためにＲＡＭ２０６に書き込まれ、ＤＭＡ転送によって定常的に表示部２０９に出力されている。なお、ＲＯＭ２０５はＣＰＵ２０３の制御プログラムを格納するリード・オンリー・メモリであり、電源２１２から出力された電源電圧は各部品に適切な電圧に調整されて供給される。
【０００８】
表示部２０９は表示駆動回路を制御し、所望の画像をＬＣＤ表示装置に表示させるＬＣＤ制御回路、ＬＣＤ制御回路で制御されるＶＲＡＭ、ＬＣＤ表示装置を駆動する表示駆動回路、電子ビューファインダとなるＬＣＤ表示装置から構成される。さらに、シャッタレリーズ信号を発生するシャッタスイッチ（ＳＷ）２０８、ＬＣＤ表示部上に配置されたスタイラスペン等で押下されることで座標データをＣＰＵに転送する座標入力部２１０、ユーザがＬＣＤ表示された画像データに対して任意の文字情報を付加する文字入力部２１１、単３電池やＮｉ−ｃｄ電池等の電源を使用する電源２１２、外部装置と通信する為のＩ／Ｆ２０７を有している。
【０００９】
次に、文字入力部２１１によって文字情報を付加する場合について説明する。
【００１０】
文字入力する場合はユーザがペンや、指先等の入力手段を用いて操作する。入出力一体型の電子撮像装置１０１では、表示部２０９と座標入力部２１０、文字入力部２１１が重なり合った構造となっており、ユーザがペンで透明のタブレットユニット（文字入力部２１１の一部）をタッチすると、ペンの押下点に応じたＸ方向・Ｙ方向それぞれの電圧をデジタル変換し、その値をもとに、Ｘ・Ｙ座標を検出しドットを点灯させる。
【００１１】
画像、被写体の撮影を行う場合は、ユーザが撮影動作モードで画像を見ながら任意の時点でシャッタスイッチ（ＳＷ）２０８を押下する。ＣＰＵ２０３はこのデータをＪＰＥＧ規格に準拠した画像圧縮処理を行った後、任意の番号や日付データのような数値等の文字列をファイル名として付加し、機器の任意のフォルダに書き込む。撮影した画像を再生表示する場合は、ＪＰＥＧ規格に準拠したＶＧＡ画像分の圧縮データを元データ（Ｙ・Ｃｂ・Ｃｒ信号）へ変換する処理を実行し、その解凍された元データを表示部２０９に表示する。
【００１２】
次に、パーソナルコンピュータ１０２を介さずに、電子撮像装置１０１で撮影した画像データを記録装置１０３で記録する構成において、電子撮像装置１０１から画像データを記録装置１０３に送信し、記録装置１０３は受信した画像データに基づいて画像を記録する動作について詳細に説明する。
【００１３】
図７に一般的な記録装置１０３のブロック図を示す。記録装置１０３は、接続する装置から印刷指令の割り込みを受け付け、印刷用の画像データを受信する印刷コントローラ７０１と、印刷コントローラ７０１から供給されるデータに従って画像を印刷する印刷エンジン７０２とで構成される。印刷コントローラ７０１にはインターフェイス回路７１４と、印刷シーケンス用のプログラムを実行するＣＰＵ７０４と、ＳＤＲＡＭ７１０などで構成される画像データ格納用のメモリと、ＣＰＵ７０４とＳＤＲＡＭ７１０のコントロールやバスの管理を行う制御回路７０３を有する。制御回路７０３は、ＣＰＵ７０４の制御回路シーケンスプログラムの実行に応答して所定の画像処理を行い印刷用の画像データに対応する印刷駆動信号を印刷エンジン７０２に供給する。
【００１４】
制御回路７０３はバスを介してフラッシュＲＯＭ７１１やＲＯＭ７１２及びインターフェイス回路７１４に接続される。ＲＯＭ７１２はプログラムメモリ等で構成され、起動時にプログラムをロードする為のプログラムが格納される。さらに、圧縮／解凍回路７０８と色変換やハーフトーン処理などの画像処理を行う回路７０７を有する。ＳＲＡＭ７０６には色変換や、ハーフトーン処理時に必要なテーブルデータ等が格納されている。上記プログラムメモリには画像データを適宜処理する為のプログラムや、インターフェイス回路７１４が受け付けた割り込み命令に対する処理を行うインターフェイス制御プログラムや印刷エンジン７０２を制御する印刷エンジン制御プログラム等も格納されている。また、ＣＰＵ７０４とＳＤＲＡＭ７１０をコントロールするそれぞれのコントローラ７０５、７０９を有している。他にもオプション用の増設メモリに接続されるＢｕｆ７１３を有している。インターフェイス回路７１４は例えばＡＳＩＣにより構成され、シリアル、ＩＥＥＥ１２８４等各種ポート７１５を備えている。また、バスを介してＵＳＢポート７１６等に接続し接続対象機器と接続する。
【００１５】
電子撮像装置１０１において撮影し、さらに文字情報等を付加した画像データを生成したときに、通常、撮影時の画像ファイルと編集された画像ファイルとを分けて保存している（例えば、特許文献１〜３）。これは、撮影時の画像データ（元の画像データ）と編集された画像データとが異なるため、編集された画像データのみを保存した場合に、元の画像データへの復元が困難になってしまうからである。
【特許文献１】特開平０７−０８５２３７号公報
【特許文献２】特開２０００−０５７３３４号公報
【特許文献３】特開２０００−０７６４７４号公報
【発明の開示】
【発明が解決しようとする課題】
【００１６】
ホストコンピュータ１０２の記憶装置（ハードディスク）の容量は多いため、ホストコンピュータ１０２上で、撮影された画像データを編集した場合には、元の画像データと編集後の画像データとを別々に保存していたも何ら問題がない。しかしながら、電子撮像装置１０１の記憶媒体はコンパクトフラッシュ（登録商標）やスマートメディアなどのフラッシュメモリであり、その容量はパーソナルコンピュータ１０２の記憶装置の容量と比べるとかなり小さい。そのため、デジタルカメラに代表される電子撮像装置１０１において画像データの加工を行う場合は、元画像と加工後の画像データをそれぞれ保存するのは、記憶媒体の容量上困難である。
【００１７】
そこで、編集した画像データと元画像データの差分ファイルを作成し、画像ファイルと差分データファイルを保持することで容量を削減する方法や、編集履歴ファイルを保持し、電子撮像装置１０１の液晶部に表示する際に元画像に編集履歴ファイルを参照して編集後の画像データに復元する方法も考えられるが、その場合だと画像データフォーマットと異なるファイルを複数保持することになりファイル管理が煩雑化することが予想される。また、電子撮像装置１０１で差分ファイルや編集履歴ファイルをもとに復元する処理が必要となるため、電子撮像装置１０１への負荷が増大する。
【００１８】
また、それら複数のファイルをそれぞれ記録装置１０３に送信して記録装置１０３の画像処理回路７０７で復元処理を行う方法が考えられるが、複数のファイルを参照するにはその分の参照テーブルを作成し保持しなければならなくなり、ファイルが増えれば増えるほどテーブルも増大してしまう。テーブルの増大は画像処理において大きな負担になり、高速な印字処理が行えなくなる可能性がある。その為複数のファイルを参照にして元画像データから編集後の画像データを復元する処理は好ましくない。
【００１９】
そこで、本提案の目的は、上記の問題を解決し１つの画像データファイルのみで元画像と編集後の画像を電子撮像装置１０１で表示することができる電子撮像装置１０１を提供することである。更に、本提案の目的は、複数のファイルを参照することなく印刷することが出来る記録装置１０３を提供することである。
【課題を解決するための手段】
【００２０】
本発明は、カメラレンズ群から取り込んだ被写体の光画像を、デジタル画像データとしてリアルタイムに入力する入力手段と、前記デジタル画像データに文字及び図形からなる情報を付加する手段と、前記付加する情報の挿入範囲を指定する手段と、前記指定した挿入範囲に付加した情報を表示部に表示する手段と、上記付加した情報を格納する手段を有することを特徴とする。
【００２１】
また、本発明は、画像データを供給されて印刷する記録装置において、前記画像データを受信し、印刷シーケンスを制御し、前記画像データを一時的に格納する画像メモリを有する印刷コントローラと、前記印刷コントローラから供給される画像データに対応する駆動信号に従って、所定の印字媒体に印刷する印刷エンジンとを有し、前記印刷コントローラは、ＣＯＭセグメントデコード処理を行う制御部を有することを特徴とする。
【発明の効果】
【００２２】
本発明によれば、文字入力部とヘッダ作成部を有する電子撮像装置において、１つの画像データファイルをもとに元画像と編集後の画像を電子撮像装置で表示することができる電子撮像装置を提供することである。更に、印刷コントローラと印刷エンジンを有する記録装置において、さらにＣＯＭセグメントデコード処理とモード判定処理を制御部に有することで、複数のファイルを参照することなく、１つの画像データをもとに編集後の画像を印刷できる記録装置を提供することが可能になる。
【発明を実施するための最良の形態】
【００２３】
以下、図面を参照して本発明の実施形態の一例を詳細に説明する。図１の実線は本発明に係わる一実施形態を表したものである。この形態によると、電子撮像装置１０１と記録装置１０３がＵＳＢケーブル等のケーブルで接続されている。当然、両機器間が無線通信を用いて接続された形態も本提案の範疇である。
【００２４】
本発明の実施形態の一例における上記電子撮像装置１０１は、例えば図３のように構成される。
【００２５】
同図において、撮像部３０１は、撮影レンズ、ＣＣＤに代表されるＶＧＡサイズ以上の撮像素子、画像信号に対してノイズ除去とゲイン調整処理を行うＣＤＳ／ＡＧＳ回路、アナログ信号からデジタル信号に変換するＡ／Ｄコンバータ等を含んでいる。画像処理部３０２は撮像部３０１からの画像データにホワイトバランス調整及びＹ・Ｃｂ・Ｃｒフォーマットのデジタル信号に変換して出力する画像処理回路である。
【００２６】
ＣＰＵ３０３は全体を制御すると共に画像圧縮伸張処理を実行する。また、ＣＰＵ３０３の制御プログラムを記憶するＲＯＭ３０５、画像展開エリア、モニタ画像展開エリア、ワークエリア等を具備するＲＡＭ３０６、撮影された全画面情報を保持する画像データ格納エリアであるコンパクトフラッシュ（登録商標）やスマートメディア等のデータ格納部３０４等を有している。
【００２７】
また、表示部３０９は表示駆動回路を制御し、所望の画像をＬＣＤ表示装置に表示させるＬＣＤ制御回路、ＬＣＤ制御回路で制御されるＶＲＡＭ、ＬＣＤ表示装置を駆動する表示駆動回路、電子ビューファインダとなるＬＣＤ表示装置からなっている。さらに、シャッタレリーズ信号を発生するシャッタスイッチ（ＳＷ）３０８、ＬＣＤ表示部上に配置されたスタイラスペン等で押下されることで座標データをＣＰＵに転送する座標入力部３１０、ユーザがＬＣＤ表示された画像データに対して任意の文字情報を付加する文字入力部３１１、単３電池やＮｉ−ｃｄ電池等の電源を使用する電源３１２、外部装置と通信する為のＩ／Ｆ３０７を有している。ここで、文字入力部３１１によって文字情報を付加する場合について説明する。
【００２８】
入出力一体型の電子撮像装置１０１は表示部、入力部が重なり合った構造となっており、ペンや、指先等の入力手段によって操作される。ユーザがペンで透明のタブレットユニットをタッチすると、ペンの押下点に応じたＸ方向・Ｙ方向それぞれの電圧をデジタル変換し、その値をもとに、Ｘ・Ｙ座標を検出しドットを点灯させる。
【００２９】
さらに、本実施の形態では上記画像処理部３０２に対しヘッダ作成部３１３が追加される。
【００３０】
上記画像処理部３０２とヘッダ作成部３１３について説明する。画像処理部３０２は上記撮像部３０１からの画像データにホワイトバランス調整及びＹ・Ｃｂ・Ｃｒフォーマットのデジタル信号に変換して出力する処理を行う他、ＬＣＤ表示部に表示された画像に対して文字入力部によって何らかの文字情報が付加され保存された場合に、ＣＰＵ３０３が画像データのその文字情報をヘッダ作成部３１３に渡す処理を含んでいる。一方ヘッダ作成部３１３は撮影した元画像をデータ格納部３０４から読み出し、付加された文字情報をＪＰＥＧ準拠のフォーマットであるコメントセグメントに埋め込む。
【００３１】
図４にＪＰＥＧ準拠のコメントセグメントフォーマットを示す。図中のＣＯＭ４０１は情報識別子であるマーカを意味する。一般的なＪＰＥＧ画像であれば画像開始（０ｘＦＦＤ８）、画像終了（０ｘＦＦＤ９）、フレーム開始（０ｘＦＦＣ０）、ハフマンテーブル定義（０ｘＦＦＣ４）といったようなマーカがＪＰＥＧ画像に付いている。それぞれのマーカ以降に、マーカに対応したデータが格納されている。本提案のＣＯＭセグメントは０ｘＦＦＦＥというマーカが付けられており、それ以降にＣＯＭ４０１やＬｃ４０２が続く。次のＬｃ４０２はパラメータ長を表し、Ｃｍ４０３はコメントデータを表す。このＣｍ４０３部分に画像データに文字入力部によって付加された文字情報や座標入力部３１０によって得られる座標データ等を格納し、ＣＰＵ３０３に渡して画像の圧縮を行いデータ格納部３０４に格納する。
【００３２】
図５にはＣｍ４０３部分の詳細を示す。Ｃｍｌｃ５０１はパラメータの全体長を表し、Ｃｍｆｏｎ５０２にはフォント情報を格納する。Ｃｍｆｏｎ５０２に格納する値としては、たとえば「１」ならば明朝体、「２」ならばゴシック体といったように指定しても良い。Ｃｍｓｚ５０３は文字サイズを表す。Ｃｍｓｚ５０３に格納する値としては、たとえば「１」ならば１０．５ｐｔ、「２」ならば１２ｐｔといったように指定しても良い。Ｃｍｘ５０４／Ｃｍｙ５０５には文字データを挿入する範囲を示す座標データを格納する。たとえば、デジタルカメラの液晶部分の左上部をＣｍｘ１、Ｃｍｙ１とし、右下Ｃｍｘ２、Ｃｍｙ２として表し、ユーザがスタイラス等で指定した範囲の座標データを格納することにしてもよい。Ｃｍｍｅｓ５０６はユーザが画像データに付加する文字データ等を格納する。Ｃｍｆｌ５０７は印刷許可フラグを示す。このフラグは、ＣＯＭセグメントに格納された画像編集情報を記録装置１０３で印刷する際に表示するかどうかを示すフラグである。このフラグによっては、画像データに文字データを付加したが印刷時には印刷しないといったことが選択可能になる。ＣｍｒｗはＣＯＭセグメントに情報を追加することを禁止するフラグである。このフラグによっては、一旦編集されたＣＯＭセグメントを、他人が勝手に変更することを禁止させることができる。これ以外にも色情報や、複数の範囲を指定して文字情報等を付加した場合の情報ＩＤ番号など様々な情報を格納することが可能である。
【００３３】
図６に電子撮像装置１０１側の一般的な操作フローを示す。まず、ユーザは撮影した画像データに文字情報等を付加するために、撮影した画像を閲覧できるモードに変更する。ここでは再生モードとする（６０１）。この時、サムネイルの一覧表示が現れる場合はそのサムネイルを選択し１画像を画面に表示する。ここで情報の付加を行わず、撮影した画像データの閲覧のみを行うことも当然可能である（６０２）。撮影した画像データに文字データ等を付加したい場合は、座標入力部３１０により文字情報入力範囲を選択する（６０３）。ここで選択された座標情報はヘッダ作成部に通知されＣＯＭセグメントに格納される。入力範囲を選択したら、文字入力部によって文字情報を入力する（６０４）。ここで入力する情報はスタイラスを用いて入力しても構わないし、音声入力等で入力しても構わない。入力された文字情報はヘッダ作成部に送られＣＯＭセグメントに格納される。文字情報の入力が終了したら次に設定情報を入力する。ここでいう設定情報とはフォント情報、文字サイズ、印刷許可フラグ、コメントセグメント書込み禁止フラグ等である（６０５）。設定情報の入力が終了したら、上記作業を保存もしくは印刷を選択する（６０６）。もちろん前のフェーズに戻ってやり直すことも可能である。
【００３４】
次に、パーソナルコンピュータを介さずにデジタルカメラ等の電子撮像装置１０１からプリンタ等の記録装置１０３へ送信し印刷することを考える。本発明の実施形態の一例における上記記録装置１０３は、例えば図８のように構成される。
【００３５】
記録装置１０３は、接続相手から印刷の割り込みを受け付け、印刷用の画像データを受信する印刷コントローラ８０１と、印刷コントローラ８０１から供給されるデータに従って画像を印刷する印刷エンジン８０２とで構成される。印刷コントローラ８０１にはインターフェイス回路８１４と印刷シーケンス用のプログラムを実行するＣＰＵ８０４とＳＤＲＡＭ８１０などで構成される画像データ格納メモリと、ＣＰＵ８０４とＳＤＲＡＭ８１０のコントロールやバスの管理を行う制御回路８０３を有する。制御回路８０３は、ＣＰＵ８０４の制御回路シーケンスプログラムの実行に応答して所定の画像処理を行い印刷用の画像データに対応する印刷駆動信号を印刷エンジン８０２に供給する。
【００３６】
制御回路８０３は、フラッシュＲＯＭ８１１などの不揮発性メモリや、ＲＯＭ８１２及びインターフェイス回路８１４に接続される。ＲＯＭ８１２はプログラムメモリ等で構成され、起動時にプログラムをロードする為のプログラムが格納される。他にも、バンドメモリであるＳＤＲＡＭ８１０を制御するＳＤＲＡＭコントローラ８０９と、ＣＰＵを制御するＣＰＵコントローラ８０５とを有する。さらに制御回路８０３には、圧縮／解凍回路８０８と、色変換やハーフトーン処理などの画像処理を行う回路８０７を有する。これらは例えばバスを介して接続される。画像処理回路８０７から図示しないパルス幅変調回路を経由して印刷エンジン８０２に印刷エンジン８０２内のレーザーを駆動する駆動信号が出力される。さらに本提案の形態では画像処理回路８０７のほかに、ＣＯＭセグメントデコード処理８０７とモード判定処理８０７を有する。電子撮像装置１０１等の接続機器から印刷割り込みを受けた際に、圧縮回路８０８により画像データを圧縮してＳＤＲＡＭ８１０に格納する。そして、印刷エンジン８０２の動作タイミングに対応するタイミングで、ＳＤＲＡＭ８１０の圧縮データを読み出し解凍回路８０８で解凍しＳＲＡＭ８０６に一旦格納する。その画像データが、画像処理回路８０７に供給されＣＯＭセグメントデコード処理を行う。ＣＯＭセグメントデコード処理８０７では、ＪＰＥＧ準拠された画像データに格納されている０ｘＦＦＦＥのマーカをサーチし、発見したらそれ以降のＣＯＭセグメント内のデータをデコード（展開）する。デコードされたデータはＳＲＡＭ８０６に保存される。
【００３７】
インターフェイス回路８１４は例えばＡＳＩＣにより構成され、シリアル、ＩＥＥＥ１２８４等各種ポート８１５を備えている。また、バスを介してＵＳＢポート８１６等に接続し接続対象機器と接続する。他にもオプション用の増設メモリに接続されるＢｕｆ８１３を有している。
【００３８】
本提案では、記録装置１０３を用いて印刷する際に、２つのモードを持っている。一つは通常に印刷する通常印刷モード、もう一つは、ＣＯＭセグメントの内容を反映させた編集印刷モードである。
【００３９】
図９に、印刷データ受信から印刷モード決定までのフローを示す。印刷が開始されると（９０１）、電子撮像装置１０１から印刷割り込みを受け印刷データを受信し（９０２）、印刷エンジン８０２の動作タイミングでデータの圧縮・解凍を行い（９０３）、ＣＯＭセグメント部分をＣＯＭセグメントデコード処理８０７でデコードしＳＲＡＭ８０６に格納する（９０４）。ここでモード判定処理８０７を行う。モード判定処理８０７は、電子撮像装置１０１で編集した部分を反映させて印刷するか否かを示すフラグであるＣｍｆｌ５０７の値が、印刷許可を示す値であれば編集印刷モード９０７と判定する。例えばＣｍｆｌ＞１ならば印刷許可とし、編集印刷モード９０７へ移行するとしても良い。もし、Ｃｍｆｌ＜１であれば編集部分の印刷は不可と判断し、編集部分を反映しないオリジナル画像を印刷する通常印刷モード９０６と判定し移行する。
【００４０】
図１０には編集印刷モードに移行したときの印刷フローを示す。まず、メモリからＣｍｆｌ５０７以外のセグメントデータを読み出す（１００２）。この時読み出す設定情報は、座標データ、文字情報、フォント、サイズ、等である。ここで、モード判定処理８０７で印刷可能かどうかを判断する（１００３）。例えば、上記電子撮像装置の表示部で選択した文字フォントや色が、上記記録装置に無い場合は印刷不可と判断し、エラーを表示した後（１００４）、通常印刷モード（１００５）へ移行する。もし、印刷可能と判断されれば、ＣＯＭセグメントデコードデータを参照し、座標データに対応した範囲をトリミングし（１００６）、文字情報をインポーズすることで（１００７）、文字情報を印字する（１００８）。
【図面の簡単な説明】
【００４１】
【図１】本発明の形態例における、電子撮像装置と記録装置の関係を示す概略図である。
【図２】従来の電子撮像装置の概略構成を示すブロック図である。
【図３】本発明の形態例における、ヘッダ作成部を備えた電子撮像装置の概略構成を示すブロック図である。
【図４】本発明の形態例における、コメントセグメントのヘッダのフォーマットである。
【図５】本発明の形態例における、コメントセグメントのコメントデータ部分の詳細なフォーマットである。
【図６】本発明の形態例における、画像データに文字情報を付加する手段を示すフローチャートである。
【図７】従来の記録装置の概略構成を示すブロック図である。
【図８】本発明の形態例における、ＣＯＭセグメントデコード部を備えた記録装置の概略構成を示すブロック図である。
【図９】本発明における、通常印刷モード、編集印刷モード移行判断フロー例を示す。
【図１０】本発明における、編集印刷モードでの印刷フローを示す。
【図１】
2005184642.tif 000003
【図２】
2005184642.tif 000004
【図３】
2005184642.tif 000005
【図４】
2005184642.tif 000006
【図５】
2005184642.tif 000007
【図６】
2005184642.tif 000008
【図７】
2005184642.tif 000009
【図８】
2005184642.tif 000010
【図９】
2005184642.tif 000011
【図１０】
2005184642.tif 000012